(57)【特許請求の範囲】
【請求項１】
回転軸の回転により平行姿勢を保って円軌跡運動を行う円軌跡運動部材と、
前記円軌跡運動部材に設けられた直線ガイド部材に案内されて水平方向に直線移動するスライダをクランク機構に接続された滑りクランク装置と、
前記スライダに取り付けられ、水平な下縁を切刃とする刃物と、
前記回転軸と前記クランク機構とを同期回転駆動する駆動手段と、
を有するカッタ装置。
【請求項２】
前記刃物の先端縁の切刃に対向する位置に配置されて被加工物を載置される被加工物載置部材を有し、前記被加工物載置部材は前記刃物の前記切刃による切り込み方向と実質的に同じ方向に配置位置を変更可能に設けられている請求項１に記載のカッタ装置。
【請求項３】
前記刃物の先端縁の切刃に対向する位置に配置されて被加工物を載置される被加工物載置部材と、
前記被加工物載置部材を前記駆動手段による前記回転軸と前記クランク機構の同期回転駆動に同期して間欠送りする間欠送り機構を有する請求項１に記載のカッタ装置。
【請求項４】
前記円軌跡運動部材に取り付けられて被加工物を前記被加工物載置部材に対して押さえる押さえ部材を有する請求項２または３に記載のカッタ装置。
【請求項５】
前記被加工物載置部材は、自身の中心軸線周りに回転可能な回転受けローラにより構成されており、前記回転受けローラの外周面に対する前記刃物の切り込み位置が、前記回転受けローラの回転中心に対して前記切刃による切り込み方向に直交する方向で、且つ前記回転受けローラに径方向に偏倚している請求項１からの４の何れか一項に記載のカッタ装置。
【請求項６】
前記円軌跡運動部材と前記滑りクランク装置と前記刃物と前記駆動手段の全体を、前記刃物の下縁の延在方向に平行な軸線周りに回動変位可能に支持する支持手段を有し、刃物の切り込み傾斜角度を変更可能である請求項１からの５の何れか一項に記載のカッタ装置。
【請求項７】
前記支持手段の回動中心軸線が、前記刃物の切り込み下死点位置にある請求項６に記載のカッタ装置。
【請求項８】
前記刃物による切り込み位置へ向けて被加工物を搬送する送り込み搬送手段を有する請求項１からの７の何れか一項に記載のカッタ装置。
【請求項９】
前記送り込み搬送手段は、前記刃物による切り込み位置へ向けて上り勾配に傾斜している請求項８に記載のカッタ装置。
【請求項１０】
前記送り込み搬送手段上に吸水シートを敷設され、前記吸水シート上に被加工物が載置される請求項８または９に記載のカッタ装置。
【発明の詳細な説明】
【技術分野】
【０００１】
本発明は、カッタ装置に関し、特に、魚肉等のカット調理に用いられるカッタ装置に関するものである。
【背景技術】
【０００２】
刺身や切り身等のカット調理に用いられるカッタ装置として、回転軸の回転により平行姿勢を保って円軌跡運動を行う円軌跡運動部材に裁断用の刃物が取り付けられ、前記回転軸が伝動モータによって回転駆動されることにより、刃物が円軌跡運動を行うことにより、まな板上の魚肉をカットするものがある（例えば、特許文献１）。
【特許文献１】特許第３５２３３３５号公報
【発明の開示】
【発明が解決しようとする課題】
【０００３】
上述した従来のカッタ装置は、刃物が円軌跡運動を行ってまな板上の魚肉をカットするので、押し切り相当の包丁裁きに似たカットになり、和包丁による引き切りのようなカットにならない。押し切り相当のカット調理では、魚肉などは綺麗に切れず、しかも、魚肉などは、細胞が軟らかいので、カット調理時に細胞が潰れ、せっかくの細胞の中のうまみ成分が逃げ出してしまう不具合がある。また、押し切りを行う従来のカッタ装置では、鱧の骨切りなどの繊細なカット調理を行うことが難しい。
【０００４】
本発明が解決しようとする課題は、電動式のカッタ装置において、刃物が引き切り相当の動きをし、魚肉などの刺身や切り身等のカット調理を上手に行い、鱧の骨切りなどの繊細なカット調理も、料理人の腕前に依存することなく適切に行えるようにすることである。
【課題を解決するための手段】
【０００５】
本発明によるカッタ装置は、回転軸の回転により平行姿勢を保って円軌跡運動を行う円軌跡運動部材と、前記円軌跡運動部材に設けられた直線ガイド部材に案内されて直線移動するスライダをクランク機構に接続された滑りクランク装置と、前記スライダに取り付けられた刃物と、前記回転軸と前記クランク機構とを同期回転駆動する駆動手段とを有する。
【０００６】
本発明によるカッタ装置は、好ましくは、更に、前記刃物の先端縁の切刃に対向する位置に配置されて被加工物を載置される被加工物載置部材を有し、前記被加工物載置部材が前記刃物の前記切刃による切り込み方向と実質的に同じ方向に配置位置を変更可能に設けられている。
【０００７】
本発明によるカッタ装置は、好ましくは、更に、前記刃物の先端縁の切刃に対向する位置に配置されて被加工物を載置される被加工物載置部材と、前記被加工物載置部材を前記駆動手段による前記回転軸と前記クランク機構の同期回転駆動に同期して間欠送りする間欠送り機構を有する。
【０００８】
本発明によるカッタ装置は、好ましくは、更に、前記円軌跡運動部材に取り付けられて被加工物を前記被加工物載置部材に対して押さえる押さえ部材を有する。
【０００９】
本発明によるカッタ装置は、好ましくは、前記被加工物載置部材が、自身の中心軸線周りに回転可能な回転受けローラにより構成されており、前記回転受けローラの外周面に対する前記刃物の切り込み位置が、前記回転受けローラの回転中心に対して前記切刃による切り込み方向に直交する方向で、且つ前記回転受けローラに径方向に偏倚している。
【００１０】
本発明によるカッタ装置は、好ましくは、前記円軌跡運動部材と前記滑りクランク装置と前記刃物と前記駆動手段の全体を、前記刃物の下縁の延在方向に平行な軸線周りに回動変位可能に支持する支持手段を有し、前記刃物の切り込み傾斜角度を変更可能である。
【００１１】
本発明によるカッタ装置は、好ましくは、前記支持手段の回動中心軸線が、前記刃物の切り込み下死点位置にある。
【００１２】
本発明によるカッタ装置は、好ましくは、更に、前記刃物による切り込み位置へ向けて被加工物を搬送する送り込み搬送手段を有する。当該送り込み搬送手段は、好ましくは、前記刃物による切り込み位置へ向けて上り勾配に傾斜している。
【００１３】
本発明によるカッタ装置は、好ましくは、前記送り込み搬送手段上に吸水シートを敷設され、前記吸水シート上に被加工物が載置される。
【発明の効果】
【００１４】
本発明によるカッタ装置によれば、刃物は、円軌跡運動と滑りクランク運動とを合成された動きをする。この刃物の動きは、円軌跡運動を滑りクランク運動によって横方向に延ばしたような楕円、長円に類似の軌跡を描く運動になり、その長軸側の運動軌跡によって魚肉などの被加工物のカットすることにより、引き切りの包丁裁きに似たカットを行える。
【発明を実施するための最良の形態】
【００１５】
本発明によるカッタ装置の実施形態１を、図１〜図４を参照して説明する。なお、以下の本実施形態の説明では、鉛直方向を上下方向、水平方向を左右方向と云うことがある。
【００１６】
本実施形態のカッタ装置は、基体１０Ａより回転可能に支持された二つの回転軸１１、１２を有する。回転軸１１と１２は、一つの水平線上にあり、換言すると、図３に示されているように、回転軸１１の中心軸線Ｃ１１と、回転軸１２の中心軸線Ｃ１２とが同じ高さ位置にある。
【００１７】
回転軸１１、１２には各々偏心円盤１３、１４が固定されている。図４に示されているように、偏心円盤１３、１４の中心Ｃｅは、回転軸１１、１２の回転中心Ｃｄに対して同じ偏心量Ｅだけ偏心している。偏心円盤１３の偏心量Ｅと偏心円盤１４の偏心量Ｅは、互いに等しい値である。
【００１８】
偏心円盤１３、１４にはプレート状部材１５が係合している。プレート状部材１５は、円軌跡運動部材であり、円形の嵌合孔１６、１７を有する。嵌合孔１６、１７は、ころがり軸受１８、１９を介して偏心円盤１３、１４の外周に回転変位可能に嵌合している。
【００１９】
これにより、プレート状部材１５は、回転軸１１と１２が、同方向に、同一速度で、同期回転により、平行姿勢（本実施形態では水平姿勢）を保って円軌跡運動を行う、このプレート状部材１５の円軌跡運動の運動径（直径）は、偏心円盤１３、１４の偏心量Ｅの２倍になる。
【００２０】
プレート状部材１５の左右二箇所にはリニアガイド部材（直線ガイド部材）２０、２１が固定装着されている。リニアガイド部材２０、２１は、互いに同じ高さ位置に水平姿勢で設けられている。リニアガイド部材２０、２１には水平方向に長い帯板状のスライダ２２が水平方向に直線移動可能に係合している。換言すると、スライダ２２は、リニアガイド部材２０、２１に案内されて、プレート状部材１５より左右方向に往復動可能に支持されている。
【００２１】
基体１０Ａはクランク中心軸２３を回転可能に支持している。クランク中心軸２３にはクランクアーム部材２４の一端部が固定装着されている。クランクアーム部材２４の先端（他端部）には連結ピン２５によってリンク部材２６の一端が枢動可能（回動可能）に連結されている。リンク部材２６の他端は連結ピン２７によってスライダ２２の右端部に枢動可能（回動可能）に連結されている。なお、クランク中心軸２３は、当該クランク中心軸２３の中心軸線Ｃ２３が、回転軸１１、１２の中心軸線Ｃ１１、Ｃ１２に対して偏倚量Ｄだけ上下方向に異なる高さ位置に配置されている。
【００２２】
クランク中心軸２３、クランクアーム部材２４、リンク部材２６によるクランク機構は、スライダ２２と接続されて滑りクランク装置２８をなしている。この滑りクランク装置２８は、クランク中心軸２３が回転駆動されることにより、スライダ２２を水平方向に往復移動させる。
【００２３】
クランク中心軸２３は、駆動手段である電動モータ２９に駆動連結され、電動モータ２９によって回転駆動される。クランク中心軸２３と、回転軸１１、１２には各々タイミングベルトプーリ３０、３１、３２が取り付けられている。タイミングベルトプーリ３０、３１、３２は、互いに同一径で、これらプーリ３０、３１、３２に無端のタイミングベルト３３が掛け渡されている。これにより、クランク中心軸２３と回転軸１１、１２は、互いに同方向に同一速度で同期回転駆動される。
【００２４】
スライダ２２には刃物取付板３４が固定装着されている。刃物取付板３４に板状の刃物３５が交換可能に吊り下げ装着されている。刃物３５は、略水平な下縁の全体が和包丁と同等の切刃３６になっている。なお、刃物取付板３４は、基体１０Ａに形成されたスリット開口３７および基体１０Ａに取り付けられたスリット付きガイド部材３８を貫通し、前後方向（図２で見て左右方向）の揺れ止めをされている。
【００２５】
基体１０Ｂにはブラケット３９が固定されており、ブラケット３９は水平な枢軸４０によって揺動レバー４１の中間部を回動可能に支持している。揺動レバー４１は、一端にてロール軸４２によって回転受けロール４３を回転可能に支持している。回転受けロール４３は、被加工物載置部材であって、まな板に相当するものであり、刃物３５の真下位置にある。回転受けロール４３は、ポリエチレン、ポリプロピレン、合成ゴム等により構成されている。
【００２６】
ロール軸４２はサーボモータ４４と駆動連結されている。サーボモータ４４は、間欠送り機構として、回転受けロール４３を、電動モータ２９による回転軸１１、１２とクランク中心軸２３の同期回転駆動に同期して、間欠回転（間欠送り）させる。これにより、回転受けロール４３を、刃物３５によるカット動作に同期して、所要の切断送りピッチで、間欠回転させることができる。
【００２７】
回転受けロール４３は、揺動レバー４１が枢軸４０を中心として回動することにより、刃物３５の切刃３６による切り込み方向（上下方向）とほぼ同じ方向に配置位置を変更する。
【００２８】
揺動レバー４１は、他端部を、基体１０Ｂに取り付けられた電磁アクチュエータ４５の作動ロッド４６と連結ピン４７によって駆動連結されている。電磁アクチュエータ４５は、揺動レバー４１を、当該揺動レバー４１の枢軸４０を中心として回動させ、回転受けロール４３の配置位置を変更設定する。電磁アクチュエータ４５が電磁ソレノイド装置のように、オン・オフ動作するものであれば、回転受けロール４３の配置位置が上下二段階に変更可能になる。電磁アクチュエータ４５がリニアアクチュエータのように、連続的にリニア動作するものであれば、回転受けロール４３の配置位置が上下無段階に変更可能になる。
【００２９】
揺動レバー４１は、基体１０Ｂに固定装着されたスタッドボルト４８の頭部と揺動レバー４１との間に設けられた圧縮コイルばね４９によって図２で見て時計廻り方向に付勢されている。基体１０Ｂには先端にて揺動レバー４１の他端に当接する調整ねじ５０が取り付けられている。調整ねじ５０は、揺動レバー４１の回動位置を微調整し、回転受けロール４３の上下方向の配置位置を微調整する。揺動レバー４１の枢軸４０と調整ねじ５０の当接部との間のアーム長が枢軸４０とロール軸４２のアーム長より数倍長いことにより、調整ねじ５０による回転受けロール４３の上下方向配置位置の微調整は、極小に微妙に行える。
【００３０】
プレート状部材１５には上部延長部１５Ａが一体形成設けられている。上部延長部１５Ａの上端には連結ピン５２によって帯板状の垂下部材５３の上端が回動可能に連結されている。垂下部材５３の下端には連結ピン５４によってホルダ部材５５が回動可能に連結されている。ホルダ部材５５は、水平部５５Ａを有し、水平部５５Ａの左右両端にて鉛直姿勢のクランプバー５６を上下動可能に支持している。
【００３１】
クランプバー５６は、当該クランプバー５６に固定された固定リング５７がホルダ部材５５の上面に当接することにより、ホルダ部材５５より抜け落ちないようになっている。クランプバー５６は、当該クランプバー５６に固定された固定ばね受けリング５８とホルダ部材５５との間に設けられた圧縮コイルばね５９によって下方へ付勢されている。
【００３２】
クランプバー５６は圧縮コイルばね５９のばね力に抗してホルダ部材５５に対して上昇変位できる。圧縮コイルばね５９とホルダ部材５５との間には、可動ばね受けリング６０、スリーブ部材６１が挟まれている。
【００３３】
なお、これらの機構は、プレート状部材１５の手前にあるので、図１では、プレート状部材１５部分の構成がよく分かるよう、これら部分の図示を省略している。
【００３４】
クランプバー５６は、基体１０Ａに形成された貫通孔６２および基体１０Ａに取り付けられたガイドスリーブ部材６３を貫通してこれらより上下動可能に保持されている。クランプバー５６の下端部には、魚肉等の被加工物を回転受けロール４３の上部外周面に対して押さえる押さえ部材６４が取り付けられている。押さえ部材６４は、できるだけ刃物３５の切刃３６によるカット位置に接近した位置で被加工物を押さえるよう、鈎形の断面形状を有する。
【００３５】
なお、図２において、符号７０は送り込みベルトコンベアを、７１は送り込みベルトコンベア７０より回転受けロール４３上に被加工物を渡す固定ガイド部材を、７２、７３は送りローラを、７４は送り出しベルトコンベアを、各々示している。
【００３６】
送り込みベルトコンベア７０、送りローラ７２、７３、送り出しベルトコンベア７４は、被加工物の送り速度によるが、連続運転されてもよいし、送り込みベルトコンベア７０、送りローラ７２、７３は、刃物３５の切刃３６による切断動作に同期して間欠駆動されてもよい。
【００３７】
本実施形態では、送り込みベルトコンベア７０、送りローラ７２、７３によって魚肉等の被加工物が回転受けロール４３の上部外周面に送り込まれる。
【００３８】
図１に実線で示されているカッタ上昇位置より電動モータ２９によってクランク中心軸２３、回転軸１１、１２が時計廻り方向に同期回転駆動されると、偏心円盤１３、１４の回転によって、プレート状部材１５が円軌跡運動を描きながら降下する。これと同時に、クランク中心軸２３の回転によって、スライダ２２が、プレート状部材１５の降下に伴って降下しつつ、一旦少し右側に水平移動したのち左側に水平移動する。これにより、刃物３５は降下しつつ左方へ移動し、緩やかな円弧を描きながら図１に仮想線で示すカッタ降下に移動する。
【００３９】
これにより更に、クランク中心軸２３、回転軸１１、１２が同方向に同期回転駆動されることにより、プレート状部材１５が円軌跡運動を描きながら上昇する。これと同時に、スライダ２２が、プレート状部材１５の上昇に伴って上昇しつつ、右側に水平移動する。これにより、刃物３５は上昇しつつ右方へ移動し、緩やかな円弧を描きながら図１に実線で示す元のカッタ上昇位置に戻る。
【００４０】
このように、刃物３５は、円軌跡運動と滑りクランク運動とを合成された動きし、この刃物３５の動きは、円軌跡運動を滑りクランク運動によって横方向に延ばしたような楕円、長円に類似の軌跡を描く運動になる。刃物３５の切刃３６は、楕円、長円に類似の軌跡の長軸側の運動軌跡によって、回転受けロール４３の上部外周面に送り込また魚肉などの被加工物のカットすることにより、引き切りの包丁裁きに似たカットを行うことになる。
【００４１】
引き切りにより、魚肉の刺身等のカット調理が、魚肉の細胞を潰すことなく、綺麗なカット面をもって見栄えよく、人手、熟練度を要することなく、電動式で行われるようになる。
【００４２】
この刃物３５の運動軌跡は、偏心円盤１３、１４の偏心量Ｅ、クランクアーム部材２４のアーム長、クランク中心軸２３の中心軸線Ｃ２３と回転軸１１、１２の中心軸線Ｃ１１、Ｃ１２との上下方向の偏倚量Ｄ、偏心円盤１３、１４とクランクアーム部材２４との相対的な回転位相差の設定によって、所望する運動軌跡あるいはそれに近似する運動軌跡を得ることができる。
【００４３】
また、偏心円盤１３、１４の回転軸１１、１２と、クランク中心軸２３を、個別のサーボモータ等によって個別に回転駆動することによって、刃物３５の運動軌跡を高い自由度をもって設定することもできる。
【００４４】
更に、刃物３５の切刃３６による魚肉などのカット時に、そのカット動作に同期して押さえ部材６４が、切刃３６によるカット位置に極く近い位置で、魚肉などの被加工物をまな板相当の回転受けロール４３の上部外周面に押し付けるから、切刃３６による引き切りにおいて、被加工物がずれ動くことなく、切刃３６の進行方向（回転受けロール４３の軸線方向に同じ方向）に真っ直ぐに綺麗に切れる。
【００４５】
なお、回転受けロール４３の外周面に細かい周溝がロール軸線方向に所定ピッチをもって設けられ、これによって魚肉などが回転受けロール４３の軸線方向に滑り難くされていもよい。また、回転受けロール４３の外周面が微細凹凸による粗面になっていてもよい。
【００４６】
押さえ部材６４が被加工物を回転受けロール４３の上部外周面に押し付ける力は、圧縮コイルばね５９のばね力により、被加工物の硬さ等に応じた最適値に設定することができまた、圧縮コイルばね５９が撓むことにより、過剰な押し付ける力が被加工物に作用することを回避できる。たとえば、魚肉などのカット調理では、人の手で、魚肉を押さえる程度の最適値に設定することができる。
【００４７】
刃物３５の切刃３６による魚肉などのカットの深さは、電磁アクチュエータ４５、調整ねじ５０によって回転受けロール４３の切刃３６に対する高さ位置を調整することにより適正値に変化させることができる。
【００４８】
たとえば、刺身等の切り離しのカット調理では、電磁アクチュエータ４５によって回転受けロール４３を上昇位置に移動させて十分なカット深さを設定すればよい。これに対し、鱧の骨切りのように、一皮残すようなカット調理では、電磁アクチュエータ４５によって回転受けロール４３を降下位置に移動させ、調整ねじ５０によって回転受けロール４３の降下位置を微調整し、一皮残す微妙なカット深さを設定すればよい。この微妙なカット深さの調整は、カット作業をしながら、様子を見ながら、調整ねじ５０によって行うことができる。
【００４９】
鱧の骨切りのように一皮残すカット調理の切り目ピッチは、刃物３５による引き切り動作に同期した回転受けロール４３の回転速度、間欠送り速度によって、適正値、要望値に自由に設定できる。このようなカット調理では、回転受けロール４３、送りローラ７２、７３、送り込みベルトコンベア７０のすべてが、刃物３５による引き切り動作に同期した間欠動作することが、綺麗な切り口の見栄えのよい仕上がりを得る上で、望ましい。
【００５０】
この一皮残すカット調理において、電磁アクチュエータ４５によって回転受けロール４３を上昇位置に移動させることにより、一定の長さのものに切り落とすこともできる。
【００５１】
上述したように、刃物３５が引き切り相当の動きをすることにより、魚肉などの刺身や切り身等のカット調理を上手に行い、鱧の骨切りなどの繊細なカット調理も、料理人の腕前に依存することなく適切に行えるようになる。
【００５２】
上述の実施形態では、平行姿勢を保って円軌跡運動を行う機構として、２個並列の偏心円盤１３、１４を用いたが、この円軌跡運動を行う機構は、図５に示されているような二つの平行リンク部材８１、８２を用いた四節リンク機構によって構成することもできる。
【００５３】
なお、図５において、図１に対応する部分は、図１に付した符号と同一の符号を付けて、その説明を省略する。
【００５４】
本発明によるカット装置の他の実施形態としては、下記のようなものがある。
【００５５】
（１）クランク中心軸２３の中心軸線Ｃ２３と回転軸１１、１２の中心軸線Ｃ１１、Ｃ１２との上下方向の偏倚量Ｄをゼロにする。この場合、図６に示されているように、クランク中心軸２３の中心軸線Ｃ２３と回転軸１１、１２の中心軸線Ｃ１１、Ｃ１２が同じ高さ位置で、一直線上に並ぶことになる。この場合には、アイドル・テンションタイミングベルトプーリ６５を設け、タイミングベルトプーリ３１、３２、３３、アイドル・テンションタイミングプーリ６５にタイミングベルト３３を掛け渡せばよい。
【００５６】
（２）回転受けロール４３を上下軸方向の送りねじ機構、リニアアクチュエータ等によって上下動させること。
【００５７】
（３）図７に示されているように、回転受けローラ４３の外周面に対する刃物３５の切り込み位置が、回転受けローラ４３の回転中心Ｃ４３に対して切刃３６による切り込み方向に直交する方向で、且つ前記回転受けローラに径方向に、所定量（偏倚量）ｅだけ偏倚している。
【００５８】
このように、刃物３５の切り込み位置が偏倚していると、回転受けローラ４３の外周面に沿って運ばれる鱧等の切り身（加工物）に対して、切刃３６が傾斜角度θ（図８参照）をもって斜（はす）に入り、そぎ切りが行われることになる。このそぎ切りの具合は、偏倚量ｅによって設定することができる。
【００５９】
この偏倚量ｅは、回転受けローラ４３が切刃３６による切り込み方向に直交する方向に配置位置を変更可能に設けられていることにより、調整可能であってもよい。また、刃物３５が回転受けローラ４３に対して切刃３６による切り込み方向に直交する方向に配置位置を変更可能に設けられていてもよい。
【００６０】
また、そぎ切りは、切刃３６の回転受けローラ４３に対する切り込み方向が、ローラ外周面に対する法線に対して傾斜していることによっても実現できる。
【００６１】
つぎに、本発明によるカッタ装置の実施形態２を、図９〜図１１を参照して説明する。なお、図９、図１０において、図１〜図４に対応する部分は、図１〜図４に付した符号と同一の符号を付けて、その説明を省略する。
【００６２】
本実施形態では、回転軸１１、１２と、偏心円盤（円軌跡運動部材）１３、１４と、プレート状部材１５と、リニアガイド部材２０、２１と、スライダ２２、クランク中心軸２３、クランクアーム部材２４、連結ピン２５、リンク部材２６、連結ピン２７による滑りクランク装置２８、電動モータ２９、タイミングベルトプーリ３０、３１、３２及びこれらに掛け渡されたタイミングベルト（図示省略）による駆動手段と、刃物取付板３４、刃物３５の全てが基台１００上に配置された支持筐体８０内に納められている。支持筐体８０はアーム部８０を一体的に有する。
【００６３】
支持筐体８０は左右一対のアーム部８１を一体的に有する。基台１００は上部に左右一対の軸支ブラット１０１を有する。軸支ブラット１０１は支持軸１０３によってアーム部８１を、つまり支持筐体８０を支持軸１０３の中心軸線周りに回動可能に支持している。支持軸１０３の中心軸線Ｃ１０３、換言すると、支持筐体８０の回動中心軸線は、刃物３５の切り込み下死点位置Ａ（図１１参照）上にある。これにより、支持筐体８０は、刃物３５の切り込み下死点位置Ａを回動中心として回動（傾斜）することができる。
【００６４】
一方の側の支持軸１０３にはウォームホイール８２が取り付けられている。ウォームホイール８２にはウォーム８３が噛合している。ウォーム８３は、タイミングベルトプーリ８４、タイミングベルト８５、タイミングベルトプーリ８６によって刃物傾斜用電動モータ８７に駆動連結され、刃物傾斜用電動モータ８７によって回転駆動される。
【００６５】
これにより、支持筐体８０は、刃物傾斜用電動モータ８７によって、刃物３５の切り込み下死点位置Ａを回動中心として回動駆動され、ウォームホイール８２とウォーム８３との噛み合いによって任意の回動位置（傾斜位置）に保持（固定）される。
【００６６】
刃物３５の下方位置には被加工物載置部材である板状のまな板部材９０が設けられている。まな板部材９０は、ピン９１をもって昇降支持部材９２の上下長孔９３に係合し、昇降
変位可能になっている。ピン９１には枢軸９４を回動中心とする回動アーム部材９５の一端が枢動連結されている。回動アーム部材９５の他端にはナット９６が取り付けられており、
ナット９６には調整ねじ９７がねじ係合している。これにより、調整ねじ９７によってまな板部材９０の上下方向の配置位置を調整することができ、切り込み深さを可変設定することができる。
【００６７】
基台１００上には搬送コンベア装置１１０が配置されている。搬送コンベア装置１１０は、エンドローラ１１１、１１２、駆動ローラ１１３、案内ローラ１１４、１１５に掛け渡されたゴム製の無端ベルト１１６を有する。駆動ローラ１１３は、タイミングベルトプーリ１１７、タイミングベルト１１８、タイミングベルトプーリ１１９によってコンベア用電動モータ１２０に駆動連結され、コンベア用電動モータ１２０によって図９、図１０にて反時計廻り方向に回転駆動される。これにより、無端ベルト１１６のエンドローラ１１１、１１２間のアッパパス部は、図９、図１０にて右方より左方へ走行移動する。
【００６８】
エンドローラ１１１は、無端ベルト１１６のアッパパス部の走行方向で見て、刃物３５の手前側（図９、図１０にて右側）にあり、もう一つのエンドローラ１１２は、刃物３５の向こう側（図９、図１０にて左側）にある。これにより、搬送コンベア装置１１０は、刃物３５による切り込み位置（切り込み下死点位置Ａ）を横切って延在し、エンドローラ１１１と刃物３５による切り込み位置との間に、刃物３５による切り込み位置へ向けて被加工物を搬送する送り込み搬送部１１０Ａを構成し、刃物３５による切り込み位置とエンドローラ１１２との間に、刃物３５による切り込み位置より送り出しベルトコンベア７４へ向けて被加工物を搬送する送り出し搬送部１１０Ｂを構成している。
【００６９】
エンドローラ１１１はまな板部材９０より低い高さ位置にある、これにより、送り込み搬送部１１０Ａは、刃物３５による切り込み位置へ向けて上り勾配した傾斜した搬送面（アッパパス部上面）になっている。エンドローラ１１１は、上下円弧方向に配置位置を変更可能設けられていてよい。これにより、送り込み搬送部１１０Ａは、上り勾配の傾斜角を可変設定することができる。
【００７０】
刃物３５による切り込み位置の被加工物送り込み側には、ゴム製の押さえ無端ベルト１３０が大小二つのローラ１３１、１３２間に掛け渡された態様で設けられている。ローラ１３１は、電動モータ１３３によって、図９、図１０で見て時計廻り方向に回転駆動される。これにより、無端ベルト１３０のアンダパス部は、無端ベルト１１６のアッパパス部と同方向にほぼ等しい走行速度で移動する。
【００７１】
ローラ１３２は、ローラ１３１より小径で、刃物３５による切り込み位置に極く近い位置にある。さらに、ローラ１３２の配置位置が上下変位可能で、ローラ１３２は、図示されていないばね手段によって、下方（無端ベルト１３０のアンダパス部側）に向けて付勢されている。このばね力が押さえ無端ベルト１３０による被加工物の弾力的な押さえ力になる。
【００７２】
基台１００のエンドローラ１１１の側には、長尺帯状の吸水シート１５１を巻き取った吸水シートロール１５０がブラケット１５２によって交換可能に配置されている。吸水シート１５１は、たとえば、二枚のポリビニルアルコールフィルム間に、高浸透圧食品である水あめ成分と、吸い取った水を保持する海草成分（糊料）とをはさんだ多重シートのようなものであり、長尺方向に所定間隔をおいて横幅方向に延在する切り離し用ミシン目１５３を有する。吸水シート１５１は、吸水シートロール１５０より繰り出され、エンドローラ１１１の側より無端ベルト１１６のアッパパス部上にその搬送方向に沿って敷設（載置）される。
なお、吸水シート１５１は、上述の多重シートに限られることはなく、吸水性に優れた紙等であってもよい。
【００７３】
被加工物、たとえば、鰺のような小型魚の魚肉は、複数片、並ばれた状態で、送り込み搬送部１１０Ａにおいて、吸水シート１５１上に載置され、無端ベルト１１６によって刃物３５による切り込み位置へ向けて送り込まれる。吸水シート１５１上の魚肉は、押さえ無端ベルト１３０によって無端ベルト１１６のアッパパス部上面へ向けて弾力的に押さえ込まれた状態で、実施形態１と同様に、円軌跡運動と滑りクランク運動とを合成された動きをする刃物３５の下縁の切刃３６によって引き切りされ、刺身相当の大きさにカット（刺身切り）される。
【００７４】
刺身切りされた吸水シート１５１上の魚肉は、引き続き無端ベルト１１６によって送り出しベルトコンベア７４へ向けて搬送される。
【００７５】
ここで、無端ベルト１１６の走行速度に比して送り出しベルトコンベア７４のベルト走行速度が速いことにより、無端ベルト１１６より送り出しベルトコンベア７４に乗り移った吸水シート１５１は、ベルト走行方向に引っ張られる。これにより、吸水シート１５１が切り離し用ミシン目１５３をもって切り離される。切り離された吸水シート１５１は、販売用トレーの大きさに応じた大きさであればよく、そのまま、販売用トレーの下敷きシートとして用いることができる。
【００７６】
このように、刺身切りされた魚肉を載せられた加工吸水シート１５１が、そのまま、販売用トレーの下敷きシートとして用いられることにより、並び変えの手間が省かれ、併せて、並び変えによって切り身が「ばらばら」になることがなく、刺身切りした見た目のよい状態で、流通上の販売用トレーに入れることができる。このことは、並び変えの手間省きと同時に、並び変え作業による刺身の鮮度低下を防ぐことにもなる。
【００７７】
上述したよう刺身切りにおいて、刃物傾斜用電動モータ８７によって、支持筐体８０を、刃物３５の切り込み下死点位置Ａを回動中心として回動されることにより、その回動角に応じて刃物３５の切り込み方向が鉛直面（垂直面）に対して傾斜し、そぎ切りが行われる。
【００７８】
このようなそぎ切りは、鰺のような小型魚の刺身において、上から見た一つ一つ切り身の平面積が大きくなり、小型魚の刺身料理としての付加価値が上がることになる。これらのことにより、小型魚の刺身の流通のネックが解消され、小型魚の刺身の流通が盛んになることを期待できる。
【００７９】
図１１に示されているように、このそぎ切りにおいて、刃物３５が魚肉に入るそぎ切り角度θａ（水平面に対する角度）は、刃物傾斜用電動モータ８７による支持筐体８０の回動角度θｄにより決まり、θａ＝（９０−θｄ）で表される。そぎ切りの度合いは、そぎ切り角度θａが小さいほうが強い。そぎ切りの度合は、送り込み搬送部１１０Ａに上り勾配が付けられていることにより、強くなる。図１１に示されているように、送り込み搬送部１１０Ａの上り勾配の傾斜角がθｂであると、このときのそぎ切り角度θｃは（θａ−θｂ）になる。
【００８０】
支持筐体８０の回動中心軸線Ｃ１０３が、刃物３５の切り込み下死点位置Ａにあることにより、支持筐体８０の回動角度θｄが変化しても、刃物３５の切り込み下死点位置が変化することかがなく、支持筐体８０の回動角度θｄを変更しても、刃物３５の切り込み深さを調整する必要がない。
【図面の簡単な説明】
【００８１】
【図１】本発明によるカット装置の実施形態１の要部の正面図である。
【図２】本発明によるカット装置の実施形態１の側面図である。
【図３】実施形態１によるカット装置の駆動系の説明図である。
【図４】実施形態１によるカット装置の偏心機構を示す説明図である。
【図５】本発明によるカット装置の他の実施形態の概略図である。
【図６】本発明によるカット装置の他の実施形態の駆動系の説明図である。
【図７】本発明によるカット装置の他の実施形態の要部の側面図である。
【図８】他の実施形態のカット装置によるそぎ切りを示す説明図である。
【図９】本発明によるカット装置の実施形態２の斜視図である。
【図１０】本発明によるカット装置の実施形態２の側面図である。
【図１１】他の実施形態のカット装置による刃物の切り込み傾斜角度についての説明図である。
【符号の説明】
【００８２】
１０Ａ、１０Ｂ  基体
１１、１２  回転軸
１３、１４  偏心円盤
１５  プレート状部材
１６、１７  嵌合孔
１８、１９  ころがり軸受
２０、２１  リニアガイド部材
２２  スライダ
２３  クランク中心軸
２４  クランクアーム部材
２５  連結ピン
２６  リンク部材
２７  連結ピン
２８  滑りクランク装置
２９  電動モータ
３０、３１、３２  タイミングベルトプーリ
３３  タイミングベルト
３４  刃物取付板
３５  刃物
３６  切刃
３７  スリット開口
３８  スリット付きガイド部材
３９  ブラケット
４０  枢軸
４１  揺動レバー
４３  回転受けロール
４４  サーボモータ
４５  電磁アクチュエータ
４６  作動ロッド
４７  連結ピン
４８  スタッドボルト
４９  圧縮コイルばね
５０  調整ねじ
５２  連結ピン
５３  ハンガー部材
５４  連結ピン
５５  ホルダ部材
５６  クランプバー
５７  固定リング
５８  固定ばね受けリング
５９  圧縮コイルばね
６０  可動ばね受けリング
６１  スリーブ部材
６２  貫通孔
６３  ガイドスリーブ部材
６４  押さえ部材
６５  アイドル・テンションタイミングプーリ
７０  送り込みベルトコンベア
７１  固定ガイド部材
７２、７３  送りローラ
７４  送り出しベルトコンベア
８０  支持筐体
８１  アーム部
８２  ウォームホイール
８３  ホイール
８４  タイミングベルトプーリ
８５  タイミングベルト
８６  タイミングベルトプーリ
８７  刃物傾斜用電動モータ
９０  まな板部材
９１  ピン
９２  昇降支持部材
９３  上下長孔
９４  枢軸
９５  回動アーム部材
９６  ナット
９７  調整ねじ
１００  基台
１０１  軸支ブラット
１０３  支持軸
１１０  搬送コンベア装置
１１１、１１２  エンドローラ
１１３  駆動ローラ
１１４、１１５  案内ローラ
１１６  無端ベルト
１１７  タイミングベルトプーリ
１１８  タイミングベルト
１１９  タイミングベルトプーリ
１２０  コンベア用電動モータ
１５０  吸水シートロール
１５１  吸水シート
１５２  ブラケット
１５３  切り離し用ミシン目
【図１】
0004940077.tif 000002
【図２】
0004940077.tif 000003
【図３】
0004940077.tif 000004
【図４】
0004940077.tif 000005
【図５】
0004940077.tif 000006
【図６】
0004940077.tif 000007
【図７】
0004940077.tif 000008
【図８】
0004940077.tif 000009
【図９】
0004940077.tif 000010
【図１０】
0004940077.tif 000011
【図１１】
0004940077.tif 000012